(57)【要約】      （修正有）【課題】ユーザにプロフィールや趣向が近似する他のユーザとマッチングさせたうえで送迎バスやレンタル品のサービスを提供する管理サーバ及びマッチング方法を提供する。【解決手段】マッチングシステムにおいて、管理サーバは、ユーザ端末１００から詳細データを含むユーザ情報を取得し、取得した詳細データの全項目について各項目の条件に近似する項目を有する他のユーザのユーザ情報を抽出し、抽出したユーザ情報のうち近似項目数が所定数以上のものが存在し、且つ、評価度が所定数値以上のものが存在する場合に、評価度の数値が高い順に所定人数分のユーザ情報を抽出する検索部１３０と、検索部１３０によって抽出されたユーザ情報とイベント記憶部１２２から抽出したイベントとに基づいて、検索結果画面を生成する検索結果画面生成部１４０と、生成した検索結果画面をユーザ端末に提供する検索結果画面提供部１５０と、を有する。【選択図】図１
2022000762.tif 000002
【特許請求の範囲】
【請求項１】
ユーザ端末と、前記ユーザ端末とネットワークを介して無線通信接続される管理サーバであって、
前記ユーザ端末から詳細データを含むユーザ情報を取得し、取得した前記詳細データの全項目について各項目の条件に近似する項目を有する他のユーザの詳細データを含むユーザ情報を抽出し、抽出した前記ユーザ情報のうち近似項目数が所定数以上のものが存在し、且つ、抽出した前記ユーザ情報のうち評価度が所定数値以上のものが存在する場合に、前記所定数値以上の評価度を有する前記ユーザ情報の中から前記評価度の数値が高い順に所定人数分の前記ユーザ情報を抽出する検索部と、
前記検索部によって抽出された前記ユーザ情報とイベント記憶部から抽出したイベントとに基づいて、検索結果画面を生成する検索結果画面生成部と、
生成した前記検索結果画面を前記ユーザ端末に提供する検索結果画面提供部と、を有する、
管理サーバ。
【請求項２】
請求項１に記載の管理サーバにおいて、
前記ユーザ端末が、メンバーおよびイベントを選択したユーザから選択タブおよび申込タブの押下入力を受付けた場合に、マッチング画面の生成に要するユーザ情報をユーザ情報記憶部から取得し、取得した前記ユーザ情報に含まれる詳細データを抽出し、抽出した前記詳細データと前記ユーザから選択されたメンバーおよびイベントとに基づいてマッチング画面を生成するマッチング画面生成部と、
生成した前記マッチング画面を前記ユーザ端末に提供するマッチング画面提供部と、を有する、
管理サーバ。
【請求項３】
請求項１または請求項２に記載の管理サーバにおいて、
前記ユーザ端末がユーザから決定タブの押下入力を受付けた場合に、サービス選択画面の生成に要するユーザ情報をユーザ情報記憶部から取得し、取得した前記ユーザ情報に含まれる詳細データを抽出し、抽出した前記詳細データと前記ユーザから決定されたイベントに基づいてサービス選択画面を生成するサービス選択画面生成部と、
生成した前記サービス選択画面を前記ユーザ端末に提供するサービス選択画面提供部と、を有する、
管理サーバ。
【請求項４】
ユーザ端末と、前記ユーザ端末とネットワークを介して無線通信接続される管理サーバとを有するマッチング方法であって、
前記管理サーバが、前記ユーザ端末から詳細データを含むユーザ情報を取得および記憶する工程と、
前記管理サーバが、取得した前記詳細データの全項目について各項目の条件に近似する項目を有する他のユーザの詳細データを含むユーザ情報を抽出し、抽出した前記ユーザ情報のうち近似項目数が所定数以上のものが存在し、且つ、抽出した前記ユーザ情報のうち評価度が所定数値以上のものが存在する場合に、前記所定数値以上の評価度を有する前記ユーザ情報の中から前記評価度の数値が高い順に所定人数分の前記ユーザ情報を抽出する工程と、
前記管理サーバが、抽出された前記ユーザ情報とイベント記憶部から抽出したイベントとに基づいて、検索結果画面を生成する工程と、
前記管理サーバが、生成した前記検索結果画面を前記ユーザ端末に提供する工程と、を有する、
マッチング方法。
【請求項５】
請求項４に記載のマッチング方法において、
前記ユーザ端末がメンバーおよびイベントを選択したユーザから選択タブおよび申込タブの押下入力を受付けた場合に、前記管理サーバが、マッチング画面の生成に要するユーザ情報をユーザ情報記憶部から取得し、取得した前記ユーザ情報に含まれる詳細データを抽出し、抽出した前記詳細データと前記ユーザから選択されたメンバーおよびイベントとに基づいてマッチング画面を生成する工程と、
前記管理サーバが、生成した前記マッチング画面を前記ユーザ端末に提供する工程と、を有する、
マッチング方法。
【請求項６】
請求項４または請求項５に記載のマッチング方法において、
前記ユーザ端末がユーザから決定タブの押下入力を受付けた場合に、前記管理サーバが、サービス選択画面の生成に要するユーザ情報をユーザ情報記憶部から取得し、取得した前記ユーザ情報に含まれる詳細データを抽出し、抽出した前記詳細データと前記ユーザから決定されたイベントに基づいてサービス選択画面を生成する工程と、
前記管理サーバが、生成した前記サービス選択画面を前記ユーザ端末に提供する工程と、を有する、
マッチング方法。
【発明の詳細な説明】
【技術分野】
【０００１】
本発明は、管理サーバおよびマッチング方法に関する。
【背景技術】
【０００２】
従来、ユーザがゴルフをしたいと思った場合、一緒に参加できる仲間が必要である。また、移動手段としての自動車やプレーの際のゴルフ道具が必要である。すなわち、ユーザが単身で気軽にゴルフを行うことは容易でない。
【先行技術文献】
【特許文献】
【０００３】
【特許文献１】特開２００２−１３３０１４号公報
【発明の概要】
【発明が解決しようとする課題】
【０００４】
例えば、特許文献１には、メンバーのマッチングを容易にして１名でも予約が可能になる、インターネットを利用したゴルフメンバーマッチングシステム及び方法が開示されている。
【０００５】
しかし、特許文献１は、ユーザにプロフィールや趣向が近似する他のユーザとマッチングさせたうえで送迎バスやレンタル品のサービスを提供するマッチング方法について意図しているものではない。
【０００６】
本発明の目的は、ユーザにプロフィールや趣向が近似する他のユーザとマッチングさせたうえで送迎バスやレンタル品のサービスを提供するマッチング方法を提供することである。
【課題を解決するための手段】
【０００７】
本願において開示される発明のうち、代表的なものの概要を簡単に説明すれば、次の通りである。
【０００８】
本発明の一実施の形態は、ユーザ端末と、ユーザ端末とネットワークを介して無線通信接続される管理サーバであって、ユーザ端末から詳細データを含むユーザ情報を取得し、取得した詳細データの全項目について各項目の条件に近似する項目を有する他のユーザの詳細データを含むユーザ情報を抽出し、抽出したユーザ情報のうち近似項目数が所定数以上のものが存在し、且つ、抽出したユーザ情報のうち評価度が所定数値以上のものが存在する場合に、所定数値以上の評価度を有するユーザ情報の中から評価度の数値が高い順に所定人数分のユーザ情報を抽出する検索部を有する。また、検索部によって抽出されたユーザ情報とイベント記憶部から抽出したイベントとに基づいて、検索結果画面を生成する検索結果画面生成部を有する。また、生成した検索結果画面をユーザ端末に提供する検索結果画面提供部を有する。
【発明の効果】
【０００９】
本発明によれば、管理サーバは、ユーザにプロフィールや趣向が近似する他のユーザとマッチングさせたうえで、送迎バスやレンタル品のサービスを提供できる。
【図面の簡単な説明】
【００１０】
【図１】本発明の一実施の形態におけるマッチングシステムの構成例の概要を示す図である。
【図２】本発明の一実施の形態における管理サーバのユーザ情報記憶部に記憶されているユーザ情報および詳細データの概要を示す図である。
【図３】本発明の一実施の形態における全体処理のフローを示す図である。
【図４】本発明の一実施の形態における全体処理の概要を示す図である。
【図５】本発明の一実施の形態におけるユーザ情報取得処理およびユーザ情報記憶処理の概要を示す図である。
【図６】本発明の一実施の形態における検索処理の概要を示す図である。
【図７】本発明の一実施の形態における近似判定の概要を示す図である。
【図８】本発明の一実施の形態における検索結果画面の概要を示す図である。
【図９】本発明の一実施の形態における検索結果画面生成処理の概要を示す図である。
【図１０】本発明の一実施の形態における検索結果画面提供処理の概要を示す図である。
【図１１】本発明の一実施の形態におけるマッチング画面の概要を示す図である。
【図１２】本発明の一実施の形態におけるマッチング画面生成処理の概要を示す図である。
【図１３】本発明の一実施の形態におけるマッチング画面提供処理の概要を示す図である。
【図１４】本発明の一実施の形態におけるサービス選択画面の概要を示す図である。
【図１５】本発明の一実施の形態におけるサービス選択画面生成処理の概要を示す図である。
【図１６】本発明の一実施の形態におけるサービス選択画面提供処理の概要を示す図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態におけるマッチングシステムの構成例の概要を示す図である。
【００１２】
図１に示されるように、マッチングシステムは、ユーザ端末１００と、ユーザ端末１００とネットワークを介して無線通信接続される管理サーバ１１０とを有する。
【００１３】
管理サーバ１１０は、ユーザ情報記憶部１２０と、検索結果画面記憶部１２１と、イベント記憶部１２２と、マッチング画面記憶部１２３と、サービス選択画面記憶部１２４と、検索部１３０と、検索結果画面生成部１４０と、検索結果画面提供部１５０と、マッチング画面生成部１６０と、マッチング画面提供部１７０と、サービス選択画面生成部１８０と、サービス選択画面提供部１９０と、を有する。
【００１４】
ユーザ情報記憶部１２０には、ユーザ情報２００（後述、図２）が記憶されている。検索結果画面記憶部１２１には、検索結果画面８００（後述、図８）が記憶されている。イベント記憶部１２２には、イベントが記憶されている。マッチング画面記憶部１２３には、マッチング画面１１００（後述、図１１）が記憶されている。サービス選択画面記憶部１２４には、サービス選択画面１４００（後述、図１４）が記憶されている。
【００１５】
検索部１３０は、ユーザ端末１００から詳細データ２１０を含むユーザ情報２００を取得し、取得した詳細データ２１０の全項目について各項目の条件に近似する項目を有する他のユーザの詳細データ２１０を含むユーザ情報２００を抽出し、抽出したユーザ情報２００のうち近似項目数が所定数以上のものが存在し、且つ、抽出したユーザ情報２００のうち評価度が所定数値以上のものが存在する場合に、所定数値以上の評価度を有するユーザ情報２００の中から評価度の数値が高い順に所定人数分のユーザ情報２００を抽出する。
【００１６】
検索結果画面生成部１４０は、検索部１３０によって抽出されたユーザ情報２００とイベント記憶部１２２から抽出したイベントとに基づいて、検索結果画面８００を生成する。
【００１７】
検索結果画面提供部１５０は、生成された検索結果画面８００をユーザ端末１００に提供する。
【００１８】
マッチング画面生成部１６０は、ユーザ端末１００が、メンバーおよびイベントを選択したユーザから選択タブ８３０および申込タブ８４０の押下入力を受付けた場合に、マッチング画面１１００の生成に要するユーザ情報２００をユーザ情報記憶部１２０から取得し、取得したユーザ情報２００に含まれる詳細データ２１０を抽出し、抽出した詳細データ２１０とユーザから選択されたメンバーおよびイベントとに基づいてマッチング画面１１００を生成する。なお、「メンバー」とは、本発明に係るマッチングシステムを利用するすべてのユーザを示す。
【００１９】
マッチング画面提供部１７０は、生成したマッチング画面１１００をユーザ端末１００に提供する。
【００２０】
サービス選択画面生成部１８０は、ユーザ端末１００がユーザから決定タブ１１２０の押下入力を受付けた場合に、サービス選択画面１４００の生成に要するユーザ情報２００をユーザ情報記憶部１２０から取得し、取得したユーザ情報２００に含まれる詳細データ２１０を抽出し、抽出した詳細データ２１０とユーザから決定されたイベントに基づいてサービス選択画面１４００を生成する。
＜ユーザ情報記憶部＞
図２（ａ）は、本発明の一実施の形態における管理サーバ１１０のユーザ情報記憶部１２０に記憶されているユーザ情報２００の構成例の概要を示す図である。
【００２１】
図２（ａ）に示されるように、ユーザ情報２００は、ユーザＩＤ、氏名、性別、年齢、住所、連絡先、プロフィール写真、詳細データ２１０と、評価度と、サービス利用状況などのデータ項目により構成される。
【００２２】
ユーザＩＤは、管理サーバ１１０が、ユーザを識別するための符号を示す。氏名は、ユーザの氏名を示す。性別は、ユーザの性別を示す。詳細データ２１０は、ユーザ端末１００がユーザから入力を受け付けることで取得するユーザの詳細な情報や、検索のための条件を示す（詳細は後述する）。
【００２３】
評価度は、ユーザが他のユーザから受けた評価の指数を示す。例えば、評価度は１〜５までの数値で示される。評価度は、その数値が高いほど、ユーザの評価が高いことを示す。
【００２４】
サービス利用状況は、ユーザがサービスを利用しているか否かの状況を示す。例えば、ユーザが送迎バスを利用し、レンタル品を利用していない場合、サービス利用状況は、「送迎バス：利用有り、レンタル品：利用無し」と示される。
【００２５】
図２（ｂ）は、本発明の一実施の形態における管理サーバ１１０のユーザ情報記憶部１２０に記憶されているユーザ情報２００に含まれる詳細データ２１０の構成例の概要を示す図である。詳細データ２１０は、ユーザＩＤ、タイプ、スコア情報、希望メニュー、エリア、その他趣味、希望日時、独身か既婚か、ゴルフに行く頻度、好きなゴルフ選手等の情報を示す。
【００２６】
「タイプ」は、ユーザのゴルフ経験年数やスコア等に基づいて算出されたゴルファーの種別を示す。例えば、ゴルフ経験年数が１年未満で平均スコアが１４０であるユーザのタイプは、「初心者」である。タイプは、その他に、中級者、アスリート等がある。なお、タイプの算出方法は特に限定されない。
【００２７】
「スコア情報」は、ユーザが有するゴルフのスコアについての情報を示す。例えば、スコア情報は、ベストスコア：１００、平均スコア：１３０、等の数値で示される。
【００２８】
「希望メニュー」は、ユーザが希望するゴルフのイベントの種類を示す。例えば、希望メニューは、ラウンド、ゴルコン、コンペ、レッスン等である。
【００２９】
「エリア」は、ユーザが利用するゴルフ場の都道府県または市区町村等を示す。例えば、エリアは、東京都、神奈川県等である。
【００３０】
「その他趣味」は、ユーザがゴルフ以外に有する趣味を示す。例えば、その他趣味は、野球、映画等である。
＜全体処理＞
図３は、本発明の一実施の形態における全体処理のフローを示す図である。
【００３１】
まず、Ｓ３０１にて、管理サーバ１１０はユーザ情報取得処理およびユーザ情報記憶処理（図５で後述する）を行う。
【００３２】
次に、Ｓ３０２にて、管理サーバ１１０は検索処理（図６で後述する）を行う。
【００３３】
次に、Ｓ３０３にて、管理サーバ１１０は検索結果画面生成処理（図８、図９で後述する）を行う。
【００３４】
次に、Ｓ３０４にて、管理サーバ１１０は検索結果画面提供処理（図１０で後述する）を行う。
【００３５】
次に、Ｓ３０５にて、管理サーバ１１０はマッチング画面生成処理（図１１、図１２で後述する）を行う。
【００３６】
次に、Ｓ３０６にて、管理サーバ１１０はマッチング画面提供処理（図１３で後述する）を行う。
【００３７】
次に、Ｓ３０７にて、管理サーバ１１０はサービス選択画面生成処理（図１４、図１５で後述する）を行う。
【００３８】
次に、Ｓ３０８にて、管理サーバ１１０はサービス選択画面提供処理（図１６で後述する）を行う。
【００３９】
また、図４は、本発明の一実施の形態における全体処理の概要を示す図である。
【００４０】
図４で示されるように、まずユーザである甲と乙は、それぞれが有するユーザ端末１００を管理サーバ１１０と接続させる。なお、ユーザ甲とユーザ乙はそれぞれ単身であるか、仲間であるかは問わない。すなわち、一人の場合でも、友人と一緒の場合でも本発明に係るマッチングシステムを利用できる。
【００４１】
次に、管理サーバ１１０は、検索、マッチング、サービス選択を、ユーザ端末１００が各ユーザから入力を受け付けることによって行う。なお、管理サーバ１１０が行う各処理の詳細は後述する。
【００４２】
また、本実施例に係る説明における「サービス」は、ユーザに対する送迎バスの提供業務と、ゴルフ道具のレンタル品の貸与業務とを示す。その他、サービスは、ゴルフのレッスンの提供や、ゴルフ場でのナビゲートの提供、ゴルフスクールの紹介または優遇等の業務を含むこととしても良い。
【００４３】
ユーザ甲とユーザ乙は、サービス選択で「送迎バス」の利用を希望した場合、ゴルフ場までの移動を送迎バスにより行う。
【００４４】
また、ユーザ甲とユーザ乙は、サービス選択で「レンタル」の利用を希望した場合、道具をレンタルしてゴルフを行う。
【００４５】
このようにして、ユーザは、一人の場合でも仲間と一緒の場合でも、ゴルフに参加する仲間やゴルフイベントを探して申し込むことができる。また、ユーザは、送迎バスやレンタル品のサービスを利用できる。すなわち、ユーザはゴルフ仲間や自動車やゴルフ道具を有さなくても、容易にゴルフイベントに参加できる。
＜ユーザ情報記憶処理＞
図５（ａ）は、本発明の一実施の形態におけるユーザ情報記憶処理の概要を示す図である。以下、管理サーバ１１０が、ユーザ情報２００を記憶する方法について説明する。
【００４６】
まず、Ｓ５０１にて、管理サーバ１１０は、ユーザ情報入力画面をユーザ端末１００に提供する。次に、Ｓ５０２にて、ユーザ端末１００は、ユーザ情報入力画面をディスプレイに表示させる。
【００４７】
その後、ユーザが本発明に係るシステムを初めて利用する場合、または、詳細データ２１０を変更（再検索）する場合、Ｓ５０３にて、ユーザ端末１００は、ユーザ情報２００の入力をユーザから受け付ける。なお、この際ユーザから受け付けたユーザ情報２００は、詳細データ２１０を含む。また、ユーザが入力する情報には、外部アカウント（ＳＮＳ等）のログイン情報や、パスワードを含めても良い。
【００４８】
次に、Ｓ５０４にて、ユーザ端末１００は、Ｓ５０３で入力を受け付けたユーザ情報２００を管理サーバ１１０に送信する。
【００４９】
次に、Ｓ５０５にて、管理サーバ１１０は、Ｓ５０４で送信されたユーザ情報２００を受信することにより、ユーザ情報２００を取得する。次に、Ｓ５０６にて、管理サーバ１１０は、受信したユーザ情報２００にユーザＩＤを付して、Ｓ５０３にて入力を受け付けたユーザ情報２００をユーザ情報記憶部１２０に記憶する。
＜ユーザ情報取得処理＞
図５（ｂ）は、本発明の一実施の形態におけるユーザ情報取得処理の概要を示す図である。以下、管理サーバ１１０が、ユーザ情報２００を取得する方法について説明する。
【００５０】
ユーザが本発明に係るシステムを２回目以降利用する場合、Ｓ５０７にて、ユーザ端末１００はユーザＩＤの入力をユーザから受け付ける。なお、ユーザＩＤは、ユーザ情報２００に含まれる。
【００５１】
次に、Ｓ５０８にて、ユーザ端末１００は、Ｓ５０７で入力を受け付けたユーザＩＤを管理サーバ１１０に送信する。
【００５２】
その後、Ｓ５０９にて、管理サーバ１１０は、Ｓ５０８で送信されたユーザＩＤのキーに対応するユーザ情報２００をユーザ情報記憶部１２０から取得する。
＜検索処理＞
図６は、本発明の一実施の形態における検索処理の概要を示す図である。
【００５３】
まず、Ｓ６０１にて、管理サーバ１１０の検索部１３０は、ユーザ情報記憶部１２０からユーザ情報２００を抽出し、ユーザ情報２００に含まれる詳細データ２１０を取得する。
【００５４】
次に、Ｓ６０２にて、検索部１３０は、Ｓ６０１で取得した詳細データ２１０の全項目について各項目の条件に近似する項目を有する他のユーザの詳細データ２１０を含むユーザ情報２００を抽出する。
【００５５】
なお、検索部１３０による詳細データ２１０の各項目の条件が他と近似するか否かの判定は、後述（図７）する近似判定の基準に基づいて行う。
【００５６】
次に、Ｓ６０３にて、抽出したユーザ情報２００のうち近似項目数が所定数以上のものが存在するか否かを判定する。抽出したユーザ情報２００のうち近似項目数が所定数以上のものが存在する場合、検索部１３０は、Ｓ６０４の工程へ進行する。抽出したユーザ情報２００のうち近似項目数が所定数以上のものが存在しない場合、検索部１３０は、本工程を終了する。
【００５７】
次に、Ｓ６０４にて、抽出したユーザ情報２００のうち評価度が所定数値以上のものが存在するか否かを判定する。抽出したユーザ情報２００のうち評価度が所定数値以上のものが存在する場合、検索部１３０は、Ｓ６０５の工程へ進行する。抽出したユーザ情報２００のうち評価度が所定数値以上のものが存在しない場合、検索部１３０は、本工程を終了する。
【００５８】
次に、Ｓ６０５にて、検索部１３０は、所定数値以上である評価度を有するユーザ情報２００のみを選定する。
【００５９】
次に、Ｓ６０６にて、検索部１３０は、選定したユーザ情報２００が有する評価度を比較して数値が高い順に所定人数分のユーザ情報２００を抽出する。具体的には、Ｓ６０５で選定したユーザ情報２００が有する評価度を比較して、数値が高い順に例えば、２０人分のユーザ情報２００を抽出する。
【００６０】
次に、Ｓ６０７にて、検索部１３０は、検索結果画面生成部１４０に検索結果画面８００の生成を要求する。
【００６１】
このように、抽出したユーザ情報２００のうち評価度が所定数値以上のものが存在する場合に、評価度の数値が高い順に所定人数分のユーザ情報２００を抽出することによって、管理サーバ１１０は、検索条件を満たすユーザの中からさらに評価が優れたユーザを探すマッチングサービスをユーザに提供できる。
＜近似判定＞
図７は、本発明の一実施の形態における近似判定の概要を示す図である。
【００６２】
図７（ａ）は、近似判定の基準を示す。詳細データ２１０のうち「タイプ」についての近似判定の基準を以下説明する。
【００６３】
図７（ａ）で示されるように、マトリクス内の任意の行のタイプと、その行内で丸印７００となっている列に対応するタイプとが「近似する」と判定される。例えば、「初心者」と近似するタイプは、未経験、初心者、中級者、である。また、「アスリート」と近似するタイプは、上級者、アスリート、である。
【００６４】
また、図７（ａ）で示されるように、スコア情報に含まれるスコアと、そのスコアの前後３０点以内のスコアとが「近似する」と判定される。例えば、「平均スコア：１３０」と近似するスコア情報は、平均スコア：１００〜１６０、である。なお、「前後３０点以内」という基準は、イベントによって変更可能とする。
【００６５】
また、図７（ａ）で示されるように、希望メニューと同一のものが「近似する」と判定される。例えば、「ラウンド」と近似する希望メニューは、ラウンドである。
【００６６】
同様に、その他趣味と同一のものが「近似する」と判定される。例えば、「野球」と近似するその他趣味は、野球である。
【００６７】
また、図７（ａ）で示されるように、エリアと、そのエリアの同一・隣接都道府県のエリアが「近似する」と判定される。例えば、「東京都」と近似するエリアは、東京都、神奈川県、埼玉県、千葉県、山梨県、である。
【００６８】
図７（ｂ）は、近似判定例を示す。図７（ｂ）の線分７１０は、近似項目を結んでいることを示す。
【００６９】
上述した近似判定基準に従うと、例えば、タイプが「初心者」と「中級者」とは近似する。また、平均スコアが「１３０」と「１００」とは近似する。また、エリアが「埼玉県」と「東京都」とは近似する。
【００７０】
よって、図７（ｂ）で示されるように、ユーザ甲の詳細データ２１０が、「タイプ：初心者、平均スコア：１３０、希望メニュー：ゴルコン、エリア：埼玉県、その他趣味：野球」であり、ユーザ乙の詳細データ２１０が、「タイプ：中級者、平均スコア：１００、希望メニュー：ラウンド、エリア：東京都、その他趣味：サッカー」である場合、甲と乙の近似項目は、「タイプ、平均スコア、エリア」と判定される。また、甲と乙の近似項目数は「３つ」と判定される。
【００７１】
その後、管理サーバ１１０は、近似項目数と近似項目の内容とに基づいて、イベントを抽出する（詳細は後述する）。
【００７２】
なお、上述した近似判定基準は、イベントごとに適宜変更可能とできる。例えば、「初心者限定」や「アスリート限定」というイベントの場合、上述した「タイプ」の近似判定基準は、「同一のタイプ」とできる。すなわち、この場合、例えば初心者と中級者は近似しないと判定される。
【００７３】
同様に、平均スコア、希望メニュー、エリア、その他趣味等の項目についても、イベントの内容に応じて近似判定基準を適宜変更可能とできる。
【００７４】
このようにして、検索部１３０は、既述のＳ６０３の処理、すなわち、抽出したユーザ情報２００のうち近似項目数が所定数以上のものが存在するか否かを判定できる。また、イベントの内容に応じて近似判定基準を変更することで、より近似するユーザ（メンバー）同士をイベントごとにマッチングさせることが可能となる。
＜検索結果画面＞
図８は、本発明の一実施の形態における検索結果画面８００の概要を示す図である。
【００７５】
図８に示されるように、検索結果画面８００は、メンバー表示領域８１０と、イベント表示領域８２０と、選択タブ８３０と、申込タブ８４０と、再検索タブ８５０と、を含む。検索結果画面８００は、ユーザ端末１００に表示される。
【００７６】
メンバー表示領域８１０は、Ｓ６０６で検索部１３０によって抽出されたユーザ情報２００に紐づくユーザのプロフィール写真や氏名、年齢、詳細データ２１０の内容等を表示させる。なお、メンバー表示領域８１０の表示のさせ方については特に限定されない。
【００７７】
イベント表示領域８２０は、Ｓ６０３で検索部１３０によって判定された近似項目数と近似項目の内容とに基づいてイベント記憶部１２２から抽出されたイベントの内容を表示させる。なお、イベント表示領域８２０の表示のさせ方については特に限定されない。
【００７８】
選択タブ８３０は、ユーザが、メンバー表示領域８１０からメンバーおよびイベント表示領域８２０からイベントを選択するためのタブを示す。すなわち、選択タブ８３０がユーザからタップまたはクリックの入力を受け付けることにより、管理サーバ１１０は、ユーザがマッチング申込を希望するメンバーおよびイベントを選択させる。
【００７９】
申込タブ８４０は、ユーザがウェブ上でマッチング画面１１００を利用しメンバーおよびイベントに申し込むためのタブを示す。すなわち、申込タブ８４０がユーザからタップまたはクリックの入力を受け付けることにより、管理サーバ１１０は、マッチング画面１１００の生成をマッチング画面生成部１６０に要求する。
【００８０】
再検索タブ８５０は、ユーザがメンバーおよびイベントを再検索するためのタブを示す。すなわち、再検索タブ８５０がユーザからタップまたはクリックの入力を受け付けることにより、管理サーバ１１０は、メンバーおよびイベントの再検索を開始させる。
【００８１】
このようにして、管理サーバ１１０は、メンバーおよびイベントの検索結果をユーザに容易に把握させることができる。また、検索結果画面８００が選択タブ８３０、申込タブ８４０、再検索タブ８５０を有することで、管理サーバ１１０は、ユーザに多面的なユーザの検索機会を与え、ユーザがより満足できるユーザとのマッチングサービスを提供できる。
＜検索結果画面生成処理＞
図９は、本発明の一実施の形態における検索結果画面生成処理の概要を示す図である。
【００８２】
まず、Ｓ９０１にて、管理サーバ１１０の検索結果画面生成部１４０は、Ｓ６０７で要求された検索結果画面８００の生成リクエストを受け付け、生成に要する所定人数のユーザをＳ６０６で抽出した検索部１３０から取得する。
【００８３】
次に、Ｓ９０２にて、検索結果画面生成部１４０は、Ｓ９０１で取得したユーザに紐付いているユーザＩＤに基づきユーザ情報２００をユーザ情報記憶部１２０から抽出する。
【００８４】
次に、Ｓ９０３にて、検索結果画面生成部１４０は、Ｓ９０２で抽出したユーザ情報２００と、Ｓ６０３で判定した近似項目数と近似項目の内容とに基づいてイベントをイベント記憶部１２２から抽出する。
【００８５】
具体的には、検索結果画面生成部１４０は、抽出したユーザ情報２００に含まれる詳細データ２１０のうち「エリア」、「希望日時」、「独身か既婚か」、「ゴルフに行く頻度」等の項目に基づいて対応するイベントをイベント記憶部１２２から抽出する。
【００８６】
また、例えば、Ｓ６０３で判定された近似項目数が「３」であり、近似項目の内容が「タイプ：未経験、初心者、中級者」および「エリア：東京都、神奈川県、埼玉県、千葉県、山梨県」および「希望メニュー：ラウンド」である場合、検索結果画面生成部１４０は、「初心者どうしで始めるラウンドｉｎ埼玉ゴルフ場」または、「未経験者限定ラウンドｉｎ甲府ゴルフカントリー」等のイベントをイベント記憶部１２２から抽出する。
【００８７】
次に、Ｓ９０４にて、Ｓ９０２で抽出したユーザ情報２００と、Ｓ９０３で抽出したイベントとに基づいて検索結果画面８００を生成する。
【００８８】
次に、Ｓ９０５にて、Ｓ９０４で生成した検索結果画面８００を検索結果画面記憶部１２１に記憶する。
【００８９】
次に、Ｓ９０６にて、検索結果画面生成部１４０は、検索結果画面８００の提供を検索結果画面提供部１５０に要求する。
＜検索結果画面提供処理＞
図１０は、本発明の一実施の形態における検索結果画面提供処理の構成例の概要を示す図である。
【００９０】
まず、Ｓ１００１にて、管理サーバ１１０の検索結果画面提供部１５０は、Ｓ９０６で要求された検索結果画面８００の提供リクエストを受け付ける。
【００９１】
次に、Ｓ１００２にて、検索結果画面提供部１５０は、提供したい検索結果画面８００を検索結果画面記憶部１２１から抽出する。
【００９２】
次に、Ｓ１００３にて、検索結果画面提供部１５０は、Ｓ９０３で生成された検索結果画面８００を提供したいユーザに対応するユーザ情報２００をユーザ情報記憶部１２０から抽出する。
【００９３】
次に、Ｓ１００４にて、検索結果画面提供部１５０は、Ｓ１００２で抽出した検索結果画面８００をユーザ端末１００に提供する。
【００９４】
次に、Ｓ１００５にて、ユーザ端末１００は、Ｓ１００４で管理サーバ１１０から提供された検索結果画面８００を、端末のディスプレイに表示させる。
【００９５】
次に、Ｓ１００６にて、ユーザ端末１００は、メンバー表示領域８１０からメンバーを、およびイベント表示領域８２０からイベントを選択したユーザから「選択タブ８３０」の押下入力を受付ける。
【００９６】
次に、Ｓ１００７にて、ユーザ端末１００は、ユーザから申込タブ８４０の押下入力を受付けたか否かを判定する。ユーザから申込タブ８４０の押下入力を受付けた場合、ユーザ端末１００は、工程Ｓ１００８へ進行する。ユーザから申込タブ８４０の押下入力を受付けない場合、ユーザ端末１００は、工程Ｓ１００９へ進行する。
【００９７】
Ｓ１００８にて、ユーザ端末１００は、申込指示を管理サーバ１１０に送信する。その後、管理サーバ１１０は、マッチング画面１１００の生成をマッチング画面生成部１６０に要求する。
【００９８】
Ｓ１００９にて、ユーザ端末１００は、ユーザから再検索タブ８５０の押下入力を受付けたか否かを判定する。ユーザから再検索タブ８５０の押下入力を受付けた場合、ユーザ端末１００は、工程Ｓ１０１０へ進行する。ユーザから再検索タブ８５０の押下入力を受付けない場合、ユーザ端末１００は、本工程を終了する。
【００９９】
Ｓ１０１０にて、ユーザ端末１００は、再検索指示を管理サーバ１１０に送信する。その後、管理サーバ１１０は、再検索を行うため工程Ｓ３０１へ進行し、以降Ｓ３０４までを行う。
【０１００】
このようにして、管理サーバ１１０は、メンバーおよびイベントの検索結果をユーザに容易に把握させることができる。また、検索結果画面８００が選択タブ８３０、申込タブ８４０、再検索タブ８５０を有することで、管理サーバ１１０は、ユーザに多面的なユーザの検索機会を与え、ユーザがより満足できるユーザとのマッチングサービスを提供できる。
＜マッチング画面＞
図１１は、本発明の一実施の形態におけるマッチング画面１１００の概要を示す図である。
【０１０１】
図１１に示されるように、マッチング画面１１００は、マッチング内容表示領域１１１０と、決定タブ１１２０と、戻るタブ１１３０と、を含む。マッチング画面１１００は、ユーザ端末１００に表示される。
【０１０２】
マッチング内容表示領域１１１０は、マッチング画面生成部１６０がＳ１２０２（後述、図１２）で抽出した詳細データ２１０と、Ｓ１２０３で抽出したメンバーおよびイベントとを表示させる。なお、マッチング内容表示領域１１１０の表示のさせ方については特に限定されない。
【０１０３】
決定タブ１１２０は、ユーザが提供されたマッチング画面１１００に表示された内容でマッチングを決定するためのタブを示す。また、決定タブ１１２０は、マッチングが決定した後、ユーザにサービスの利用をさせるためのタブを示す。すなわち、決定タブ１１２０がユーザからタップまたはクリックの入力を受け付けることにより、管理サーバ１１０は、サービス選択画面１４００の生成をサービス選択画面生成部１８０に要求する。
【０１０４】
戻るタブ１１３０は、ユーザが再度マッチングを行うためのタブを示す。すなわち、戻るタブ１１３０がユーザからタップまたはクリックの入力を受け付けることにより、管理サーバ１１０は、工程Ｓ３０４へ進行する。
【０１０５】
このようにして、管理サーバ１１０は、マッチング画面１１００によりメンバーおよびイベントとのマッチングをユーザに容易に提供できる。
【０１０６】
また、管理サーバ１１０は、ユーザに、プロフィールや趣向が近似する他のユーザ（メンバー）とマッチングさせたうえで、ユーザの経験や趣向に近似するゴルフのイベントに参加させるマッチング方法を提供できる。
＜マッチング画面生成処理＞
図１２は、本発明の一実施の形態におけるマッチング画面生成処理の概要を示す図である。
【０１０７】
まず、Ｓ１２０１にて、管理サーバ１１０のマッチング画面生成部１６０は、Ｓ１００８で要求されたマッチング画面１１００の生成リクエストを受け付け、生成に要するユーザ情報２００をユーザ情報記憶部１２０から取得する。
【０１０８】
次に、Ｓ１２０２にて、マッチング画面生成部１６０は、Ｓ１２０１で取得したユーザ情報２００に含まれる詳細データ２１０を抽出する。
【０１０９】
次に、Ｓ１２０３にて、マッチング画面生成部１６０は、Ｓ１２０６でユーザから選択されたメンバーおよびイベントを抽出する。
【０１１０】
次に、Ｓ１２０４にて、マッチング画面生成部１６０は、Ｓ１２０２で抽出した詳細データ２１０と、Ｓ１２０３で抽出したメンバーおよびイベントとに基づいてマッチング画面１１００を生成する。
【０１１１】
次に、Ｓ１２０５にて、マッチング画面生成部１６０は、Ｓ１２０４で生成したマッチング画面１１００をマッチング画面記憶部１２３に要求する。
【０１１２】
次に、Ｓ１２０６にて、マッチング画面生成部１６０は、マッチング画面１１００の提供をマッチング画面提供部１７０に要求する。
＜マッチング画面提供処理＞
図１３は、本発明の一実施の形態におけるマッチング画面提供処理の構成例の概要を示す図である。
【０１１３】
まず、Ｓ１３０１にて、管理サーバ１１０のマッチング画面提供部１７０は、Ｓ１２０６で要求されたマッチング画面１１００の提供リクエストを受け付ける。
【０１１４】
次に、Ｓ１３０２にて、マッチング画面提供部１７０は、提供したいマッチング画面１１００をマッチング画面記憶部１２３から抽出する。
【０１１５】
次に、Ｓ１３０３にて、マッチング画面提供部１７０は、Ｓ１３０２で抽出したマッチング画面１１００を提供したいユーザに対応するユーザ情報２００をユーザ情報記憶部１２０から抽出する。
【０１１６】
次に、Ｓ１３０４にて、マッチング画面提供部１７０は、Ｓ１３０３で抽出したマッチング画面１１００をユーザ端末１００に提供する。
【０１１７】
次に、Ｓ１３０５にて、ユーザ端末１００は、Ｓ１３０４で管理サーバ１１０から提供されたマッチング画面１１００を、端末のディスプレイに表示させる。
【０１１８】
次に、Ｓ１３０６にて、ユーザ端末１００は、ユーザから決定タブ１１２０の押下入力を受付けたか否かを判定する。ユーザから決定タブ１１２０の押下入力を受付けた場合、ユーザ端末１００は、工程Ｓ１３０７へ進行する。ユーザから決定タブ１１２０の押下入力を受付けない場合、ユーザ端末１００は、工程Ｓ１３０８へ進行する。
【０１１９】
Ｓ１３０７にて、ユーザ端末１００は、決定指示を管理サーバ１１０に送信する。その後、管理サーバ１１０は、サービス選択画面１４００の生成をサービス選択画面生成部１８０に要求する。
【０１２０】
Ｓ１３０８にて、ユーザ端末１００は、ユーザから戻るタブ１１３０の押下入力を受付けたか否かを判定する。ユーザから戻るタブ１１３０の押下入力を受付けた場合、ユーザ端末１００は、工程Ｓ１３０９へ進行する。ユーザから戻るタブ１１３０の押下入力を受付けない場合、ユーザ端末１００は、本工程を終了する。
【０１２１】
Ｓ１３０９にて、ユーザ端末１００は、再マッチング指示を管理サーバ１１０に送信する。その後、管理サーバ１１０は、再マッチングを行うため工程Ｓ３０４へ進行する。
【０１２２】
このようにして、管理サーバ１１０は、マッチング画面１１００によりメンバーおよびイベントとのマッチングをユーザに容易に提供できる。すなわち、ユーザ側に対して、管理サーバ１１０は、より満足できるユーザとのマッチングサービスを提供できる。
【０１２３】
また、管理サーバ１１０は、ユーザに、プロフィールや趣向が近似する他のユーザ（メンバー）とマッチングさせたうえで、ユーザの経験や趣向に近似するゴルフのイベントに参加させるマッチング方法を提供できる。
＜サービス選択画面＞
図１４は、本発明の一実施の形態におけるサービス選択画面１４００の概念を示す図である。
【０１２４】
図１４に示されるように、サービス選択画面１４００は、サービス表示領域１４１０と、希望タブ１４２０と、購入タブ１４３０と、を含む。サービス選択画面１４００は、ユーザ端末１００に表示される。
【０１２５】
サービス表示領域１４１０は、サービス選択画面生成部１８０がＳ１５０２（後述、図１５）で抽出したユーザ情報２００と、Ｓ１５０３で抽出したイベントとに基づいて生成される送迎バスや、レンタル品の情報を表示させる。
【０１２６】
また、サービス表示領域１４１０は、ゴルフのレッスンの提供や、ゴルフ場でのナビゲートの提供、ゴルフスクールの紹介または優遇等の業務を含む情報を表示させても良い。なお、サービス表示領域１４１０の表示のさせ方については特に限定されない。
【０１２７】
希望タブ１４２０は、ユーザが、サービス表示領域１４１０からサービスの利用を希望するためのタブを示す。すなわち、希望タブ１４２０がユーザからタップまたはクリックの入力を受け付けることにより、管理サーバ１１０は、ユーザが利用を希望するサービスを選択させる。
【０１２８】
購入タブ１４３０は、ユーザが、希望したサービスを含めたイベントの決済手続を行うためのタブを示す。すなわち、購入タブ１４３０がユーザからタップまたはクリックの入力を受け付けることにより、管理サーバ１１０は、ユーザが希望したサービスを含めたイベントの決済手続へ進行させる。
【０１２９】
このようにして、管理サーバ１１０は、サービス選択画面１４００により送迎バスやレンタル品等のサービスの利用を希望しているユーザに、サービスを提供できる。すなわち、ユーザがゴルフをしたいと思った場合、移動手段としての自動車やプレーの際のゴルフ道具を必要とせず、ユーザが単身で気軽にゴルフを行うことができる。
＜サービス選択画面生成処理＞
図１５は、本発明の一実施の形態におけるサービス選択画面生成処理の概要を示す図である。
【０１３０】
まず、Ｓ１５０１にて、管理サーバ１１０のサービス選択画面生成部１８０は、Ｓ１３０７で要求されたサービス選択画面１４００の生成リクエストを受け付け、生成に要するユーザ情報２００をユーザ情報記憶部１２０から抽出する。
【０１３１】
次に、Ｓ１５０２にて、サービス選択画面生成部１８０は、Ｓ１５０１で取得したユーザ情報２００に含まれる詳細データ２１０を抽出する。
【０１３２】
次に、Ｓ１５０３にて、サービス選択画面生成部１８０は、Ｓ１３０６でユーザから決定されたイベントを抽出する。
【０１３３】
次に、Ｓ１５０４にて、サービス選択画面生成部１８０は、Ｓ１５０２で抽出した詳細データ２１０とＳ１５０３で抽出したイベントとに基づいてサービス選択画面１４００を生成する。
【０１３４】
具体的には、サービス選択画面生成部１８０は、抽出した詳細データ２１０のうちの各項目の内容や、抽出したイベントの「ゴルフ場の場所、日時、参加人数」等に対応する送迎バスおよびレンタル品を抽出して、サービス表示領域１４１０を含むことによりサービス選択画面１４００を生成する。
【０１３５】
例えば、サービス選択画面生成部１８０は、抽出した詳細データ２１０のうちの「エリア」が「群馬県」であり、抽出したイベントの「ゴルフ場の場所、日時、参加人数」が、「群馬〇〇ゴルフ場、〇月〇日の７時３０分出発、8人参加」である場合、その場所と日時および人数に対応した「送迎バス６０３号」を送迎バスとして抽出して、サービス表示領域１４１０を生成する。
【０１３６】
また、例えば、サービス選択画面生成部１８０は、抽出した詳細データ２１０のうちの「タイプ」が「未経験」で、ユーザ情報２００のうち性別が「女性」である場合、対応した「初心者女性用ゴルフクラブセット」をレンタル品として抽出して、サービス表示領域１４１０を生成する。
【０１３７】
上記のようにして生成されたサービス表示領域１４１０を構成に含めることにより、サービス選択画面生成部１８０は、サービス選択画面１４００を生成する。
【０１３８】
次に、Ｓ１５０５にて、サービス選択画面生成部１８０は、Ｓ１５０４で生成したサービス選択画面１４００をサービス選択画面記憶部１２４に記憶する。
【０１３９】
次に、Ｓ１５０６にて、サービス選択画面生成部１８０は、サービス選択画面１４００の提供をサービス選択画面提供部１９０に要求する。
＜サービス選択画面提供処理＞
図１６は、本発明の一実施の形態におけるサービス選択画面提供処理の構成例の概要を示す図である。
【０１４０】
まず、Ｓ１６０１にて、管理サーバ１１０のサービス選択画面提供部１９０は、Ｓ１５０６で要求されたサービス選択画面１４００の提供リクエストを受け付ける。
【０１４１】
次に、Ｓ１６０２にて、サービス選択画面提供部１９０は、提供したいサービス選択画面１４００をサービス選択画面記憶部１２４から抽出する。
【０１４２】
次に、Ｓ１６０３にて、サービス選択画面提供部１９０は、Ｓ１６０２で抽出したサービス選択画面１４００を提供したいユーザに対応するユーザ情報２００をユーザ情報記憶部１２０から抽出する。
【０１４３】
次に、Ｓ１６０４にて、サービス選択画面提供部１９０は、Ｓ１６０３で抽出したサービス選択画面１４００をユーザ端末１００に提供する。
【０１４４】
次に、Ｓ１６０５にて、ユーザ端末１００は、Ｓ１６０４で管理サーバ１１０から提供されたサービス選択画面１４００を、端末のディスプレイに表示させる。
【０１４５】
次に、Ｓ１６０６にて、ユーザ端末１００は、サービス表示領域１４１０からサービスの利用を希望したユーザから「希望タブ１４２０」の押下入力を受付ける。なお、ユーザがサービスの利用を希望しない場合、ユーザ端末１００は、ユーザから「希望タブ１４２０」の押下入力を受付けないで工程Ｓ１６０７へ進行する。
【０１４６】
次に、Ｓ１６０７にて、ユーザ端末１００は、ユーザから購入タブ１４３０の押下入力を受付けたか否かを判定する。ユーザから購入タブ１４３０の押下入力を受付けた場合、ユーザ端末１００は、工程Ｓ１６０８へ進行する。ユーザから購入タブ１４３０の押下入力を受付けない場合、ユーザ端末１００は、本工程を終了する。
【０１４７】
Ｓ１６０８にて、ユーザ端末１００は、購入指示を管理サーバ１１０に送信する。その後、管理サーバ１１０は、ユーザが希望したサービスを含めイベントの決済手続へ進行する。
【０１４８】
このようにして、管理サーバ１１０は、サービス選択画面１４００により送迎バスやレンタル品等のサービスの利用を希望しているユーザに、サービスを提供できる。すなわち、ユーザがゴルフをしたいと思った場合、移動手段としての自動車やプレーの際のゴルフ道具を必要とせず、ユーザが単身で気軽にゴルフを行うことができる。
＜本実施の形態の効果＞
以上説明した本発明の実施の形態によれば、管理サーバ１１０は、ユーザにプロフィールや趣向が近似する他のユーザとマッチングさせたうえで送迎バスやレンタル品のサービスを提供するマッチングが可能となる。
【０１４９】
すなわち、管理サーバ１１０は、ユーザがゴルフをしたいと思った場合に、ゴルフ仲間がいなくても自己のプロフィールや趣向が近似する他のユーザと容易にマッチングさせることができる。
【０１５０】
また、管理サーバ１１０は、ユーザがゴルフをしたいと思った場合に、移動手段としての自動車やプレーの際のゴルフ道具を必要とせず、ユーザに気軽にゴルフを行わせることができる。
【０１５１】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【０１５２】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１５３】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１５４】
１００…ユーザ端末
１１０…管理サーバ
１２０…ユーザ情報記憶部
１２１…検索結果画面記憶部
１２２…イベント記憶部
１２３…マッチング画面記憶部
１２４…サービス選択画面記憶部
１３０…検索部
１４０…検索結果画面生成部
１５０…検索結果画面提供部
１６０…マッチング画面生成部
１７０…マッチング画面提供部
１８０…サービス選択画面生成部
１９０…サービス選択画面提供部
２００…ユーザ情報
２１０…詳細データ
８００…検索結果画面
１１００…マッチング画面
１４００…サービス選択画面
【図１】
2022000762.tif 000003
【図２】
2022000762.tif 000004
【図３】
2022000762.tif 000005
【図４】
2022000762.tif 000006
【図５】
2022000762.tif 000007
【図６】
2022000762.tif 000008
【図７】
2022000762.tif 000009
【図８】
2022000762.tif 000010
【図９】
2022000762.tif 000011
【図１０】
2022000762.tif 000012
【図１１】
2022000762.tif 000013
【図１２】
2022000762.tif 000014
【図１３】
2022000762.tif 000015
【図１４】
2022000762.tif 000016
【図１５】
2022000762.tif 000017
【図１６】
2022000762.tif 000018